(57)【要約】      （修正有）【課題】生前に義肢を用いていた故人の納棺時に、火葬が可能である義肢を用いて故人の遺体を綺麗に化粧可能とする納棺用の装飾義肢を提供する。【解決手段】木製材を切削成形した義肢本体１０と、この義肢本体１０に固定した巻装部材２０を備え、前記義肢本体１０は、失われた四肢の外観を回復させる寸法に成形するとともに、前腕部、上腕部、下腿部、大腿部は内部を中空に成形してなり、前記巻装部材２０は、接合させるべき断端部の外周部に巻装させる袋状または帯状の布地材と、当該布地材の巻装状態を保つ維持部材２５とを備える。義肢本体の内部が中空で、芯部がない筒状であるため、燃焼効率は非常に良い。また巻装部材である布地材として燃焼時にダイオキシンの発生が少ない素材を使用すれば、故人の遺体に義肢を装着させた状態で納棺ができ、そのまま出棺し、火葬することが出来る。【選択図】図１
0003184428.tif 000002
【実用新案登録請求の範囲】
【請求項１】
木製材を切削成形した義肢本体と、
この義肢本体に固定した巻装部材を備え、
前記義肢本体は、
失われた四肢の外観を回復させる寸法に成形するとともに、
前腕部、上腕部、下腿部、大腿部は内部を中空に成形してなり、
前記巻装部材は、
接合させるべき断端部の外周部に巻装させる袋状または帯状の布地材と、
当該布地材の巻装状態を保つ維持部材とを備えることを特徴とする納棺用の装飾義肢。
【請求項２】
手関節、上肢関節、足関節、下肢関節のうち、少なくともいずれか一の関節の部位に、回動可能な継手部材を設けることを特徴とする請求項１記載の納棺用の装飾義肢。
【請求項３】
布地材は、天然繊維を用いて成形することを特徴とする請求項１または請求項２記載の納棺用の装飾義肢。
【考案の詳細な説明】
【技術分野】
【０００１】
本考案は、遺体を納棺する際に用いる装飾用の義肢に関する。
【背景技術】
【０００２】
事故や病気等で四肢の一部を切断したひとは、日常生活を健全に営むための機能回復ため、義肢（義手または義足）を用いる。義手は、上肢・手腕の義肢であり、義足は、下肢・足部の義肢である。
【０００３】
義肢は、耐久性を保証する観点から主たる芯材には金属を用いることが多い。義手のように、人目に触れる機会が多い義肢では、表面をシリコン素材で仕上げる等、違和感のない外観を表現できるように工夫する。
【０００４】
ところで、義肢の使用者が亡くなったときには、遺体を納棺する際に、義肢を取り外すことが多い。金属やガラス類は、高温燃焼によって火葬架台を損傷させることがあり、プラスチックや合成ゴム等の樹脂類は、燃焼によって火葬架台を損傷させるだけでなく、ダイオキシンを発生させる等、近隣住民に好ましくない影響を与えるからである。
【０００５】
納棺に際して、ダイオキシン等を発生させないようにする副葬品の技術としては、例えば、下記文献のものがある。これらは、故人の表情の一部であった眼鏡に関するものである。
【先行技術文献】
【特許文献】
【０００６】
【特許文献１】特開２０００−１１６７３４号
【特許文献２】特開２００３−１８０７６７号
【考案の開示】
【考案が解決しようとする課題】
【０００７】
問題は、四肢の一部または全部を失った故人を納棺する際に、義肢を完全に取り外してしまうと、故人の生前の姿が著しく変わってしまうため、遺族のなかには、故人を葬るに際して、四肢があったときの健常容姿で故人の旅支度を施したいと希望するケースが少なくない。
【０００８】
故人の親類や知己の多くは、交際した期間中に故人の四肢が健常であったことを記憶しているため、故人が四肢を失った状態で納棺されている姿をみると、最後の別れに際して不要なイメージギャップを生じさせるからである。
【０００９】
また、故人の多くは四肢が健全な状態で生まれ、長く生活してきたのであるから、最後の納棺時にも、健全な四肢をもった姿で送りたいと思うのは遺族側の素直な気持ちである。
【００１０】
そこで、本考案の目的は、生前に義肢を用いていた故人の納棺時に、火葬が可能である義肢を用いて故人の遺体を綺麗に化粧可能とすることにある。
【課題を解決するための手段】
【００１１】
前記目的を達成するため、本考案に係る納棺用の装飾義肢は、木製材を切削成形した義肢本体と、この義肢本体に固定した巻装部材を備え、前記義肢本体は、失われた四肢の外観を回復させる寸法に成形するとともに、前腕部、上腕部、下腿部、大腿部は内部を中空に成形してなり、前記巻装部材は、接合させるべき断端部の外周部に巻装させる袋状または帯状の布地材と、当該布地材の巻装状態を保つ維持部材とを備える。
【００１２】
この義肢は、木製材を用いた義肢本体の内部を中空に成形したものであり、義肢本体は芯部がない筒状であるため、燃焼効率は非常に良い。巻装部材である布地材として燃焼時にダイオキシンの発生が少ない素材を使用すれば、故人の遺体に義肢を装着させた状態で納棺ができ、そのまま出棺し、火葬することが出来る。
【００１３】
手関節、上肢関節、足関節、下肢関節のうち、少なくともいずれか一の関節の部位に、回動可能な継手部材を設ける場合がある（請求項２）。
【００１４】
納棺用の義肢であるが、四肢の形状や断端面の状態によっては、回動可能な継手部材がなければ、手先や足先が浮き上がってしまう等、綺麗な納棺が出来ない場合も少なくない。回動可能な継手部材を設けることにより、より自然な納棺状態を実現することが出来る。
【００１５】
布地材は、天然繊維を用いて成形する場合がある（請求項３）。天然素材、例えば、綿、麻、絹等を用いて布地材を構成すれば、火葬時におけるダイオキシンの発生は確実に防止できる。布地材の厚みは、巻装状態の保持のしやすさ、および燃焼効率を考慮して設定すればよい。
【考案の効果】
【００１６】
本考案に係る納棺用の装飾義肢によれば、納棺時に、火葬が可能である義肢を用いて故人の遺体を綺麗に化粧することが出来る。
【図面の簡単な説明】
【００１７】
【図１】実施形態に係る装飾義肢（前腕）を例示する図である。
【図２】実施形態に係る装飾義肢（下腿部）を例示する図である。
【図３】実施形態に係る巻装部材の取付例を示す第一の図である。
【図４】実施形態に係る巻装部材の取付例を示す第二の図である。
【図５】実施形態に係る装飾義肢（上肢）を例示する第二の図である。
【図６】実施形態に係る装飾義肢（下肢）を例示する第二の図である。
【考案を実施するための形態】
【００１８】
図１は、本考案に係る納棺用の装飾義肢を示すもので、前腕に断端部がある遺体に装着させるものである。
【００１９】
この装飾義肢１０は、木製材を用いて成形した手部１１と前腕部１２、および前腕部１２の端部に取り付けた巻装部材２０とを備えるように構成する。
【００２０】
義肢本体である手部１１と前腕部１２は、木製材、例えば桐材、杉材、檜材等を用いて成形する。これらの木製材は、軽量で湿気にも強く、割れや狂いも少ないため、装飾義肢１０を予め製造しストックしておくときにも有利である。
【００２１】
納棺用の装飾義肢１０は、注文を受けてから製造を開始するような時間的余裕がないので、予め、各種の人体サイズや性別等に応じて作り置きしておくことが望ましいが、桐、杉、檜等であれば長期間のストックにも品質劣化を生じさせない。なお、とくに桐は、古くから鳳凰の止まる木として神聖視されており、高貴な樹木として格式の高いものであるから、故人の旅装束用の材料として好ましいものである。
【００２２】
木製材を用いた義肢本体は、内部を切削して中空に成形する。火葬時の燃え残りを避けるためである。内部中空であれば、火葬時に要する燃焼時間で確実に燃え尽きる。
【００２３】
手部１１、前腕部１２のいずれも内部中空にすることが望ましいが、手部１１は、指部１１−１を内部中空にしなくても火葬時間内に燃え尽きるので、少なくとも指部１１−１は内部中空とする必要はない。掌部も、通常の火葬時間内で燃え尽きるが、掌部が大きい場合など、肉厚や面積が大きく切削する方が好ましい場合は、内部を切削して中空とする処理を施すことが望ましい。
【００２４】
前腕部１２は、全体を内部中空に切削加工して円筒形に成形することが望ましい。手部１１と前腕部１２は、一体に成形しても良いし、別々に成形した後、燃焼時にダイオキシンを生じさせないまたは生じさせにくい適宜の継手手段、例えば、木釘や天然素材系の接着剤（米糊等）を用いて接合させても良い。
【００２５】
巻装部材２０は、袋状または帯状の布地材を用いるもので、この布地材の一端部を前腕部１２に適宜手段で固定しておく。固定に際しては、燃焼容易で、火葬時にダイオキシンを発生させない（または発生しにくい）素材を用いる。例えば木釘や天然系糊材を介して接合させることができる。
【００２６】
巻装部材２０に使用する布地材は、燃焼時にダイオキシンを発生させない天然素材、例えば、綿、麻、絹等を用いることが望ましい。
【００２７】
巻装部材２０は、遺体の断端部の外表面を包んで前腕部１２を接続固定させるものである。布地材は、袋状であっても帯状であっても良いが、巻装状態を保つ維持部材が必要となる。維持部材は、例えば、紐材、結束リボン、面ファスナ、木製のボタン、木製の係着フック等を使用できる。
【００２８】
この実施形態では、例えば帯状の布地材によって遺体の断端部（図示せず）の外表面を包んでから、結束リボン２５を介して布地材を緊縛して固定する場合を例示した。２７は、結束リボン２５の結び目である。
【００２９】
かかる装飾義肢１０によれば、故人の身体に応じて綺麗な旅支度を施すことが可能となり、また、本考案に係る装飾義肢１０は、木製材によって義肢本体（手部１１と前腕部１２）を成形し、必要部分を内部中空に切削してあるので、火葬時間内に装飾義肢１０は完全に燃え尽き、有害ガス（ダイオキシン）も発生させない。巻装部材２０および結束リボン２５も容易に燃え尽き、有害ガス（ダイオキシン）を発生させない。
【００３０】
義肢本体（１１、１２）を構成する木製材は、無垢材を用いることが望ましい。集成材を用いると安価ではあるが、接着剤として合成性樹脂を用いると、燃焼時に微量ではあるが有害ガスが生じる可能性が残るからである。但し、法律、条例で許容される範囲内であるならば、集成材を用いて装飾義肢を成形しても良い。
【００３１】
図２は、下腿部の装飾義肢３０を例示するものである。木製材を用いて成形した義肢本体（足部３１、下腿部３２）、および下腿部３２の端部に取り付けた巻装部材２０とを備えることは、前記実施形態の装飾義肢１０と同じである。
【００３２】
この場合も、義肢本体である下腿部３２は内部を中空に成形し、足部３１も必要に応じて内部を中空に成形する。指部３１−２は中空に成形する必要はない。容積が小さいので、内部中空としなくても火葬時に燃え尽きるからである。巻装部材２０も、前腕用の装飾義肢１０と同じ構成をとってよい。
【００３３】
図３、図４は、巻装部材２０の取り付け状態を、下腿部用の装飾義肢３０を例にとって示すものである。
【００３４】
図３に示すように、巻装部材２０は、布地の下端部を下腿部３２の上端部に被せておき、この状態で布地（２０）を固定する。固定するときは、図４に示すように、和紙等の天然素材を用いたテープ材４０を布地（２０）との接合部に沿って設ける。そして、テープ材４０の上から木製釘や木製ネジ等、非樹脂系、非金属系の固定材４１を打ち込んで、布地（２０）を下腿部３２に固定する。その後、固定材４１の上から、化粧用のテープ材（図示せず）を貼着して、固定材４１を被覆する。化粧用のテープ材（図示せず）は、例えば、デンプン糊、モチ米糊等の天然素材を用いた接着剤を介して貼着することが望ましい。火葬時におけるダイオキシンの発生を防止するためである。巻装部材２０の固定は、本考案に係る各種の装飾義肢において同様の手法を用いることが出来る。
【００３５】
図５は、上腕に断端部がある場合の装飾義肢５０を例示するものである。この装飾義肢５０は、前記実施形態と同様、木製材を用いて成形した義肢本体（手部１１、前腕部１２、上腕部１４）と、上腕部１４に取り付けた巻装部材２０とを備えるもので、前腕部１２、上腕部１４は内部中空に成形し、手部１１は必要に応じて内部を中空に成形する。巻装部材２０の固定、構成等は前記実施形態と同様でよい。
【００３６】
前腕部１２と上腕部１４は、回動可能な継手部材５２を介して結合する。この実施形態では、継手部材５２として、例えば、木製のピン部材を使用する。連結用の嵌合舌片をピン（５２）で回動可能に軸支してもよい。
【００３７】
回動可能な継手部材５２は、納棺時に、腕（または脚）を自然な状態で納めることが出来るようにするものである。納棺時の美的な見栄えを向上させるものであり、通常の義肢に要求される高度な機能性は必要がない。結合部の回動を実現する最小限の機能があれば良いので、木製ピンを介した各種の軸支構造をとることが出来る。火葬時のダイオキシン発生を防止するため、継手部材５２のまわりの部材も木製材を使用する。
【００３８】
前腕部１２と上腕部１４を、回動可能な継手部材５２を介して結合することにより、巻装部材２０を断端部にしっかり固定したときの義肢本体（１１、１２、１４）の微妙な角度のずれ（不自然さ）を解消することが出来る。微妙な角度のずれ（不自然さ）を解消できれば良いので、継手部材５２の回動角度は狭い範囲（例えば１０〜３０度程度）に限定しても良い。
【００３９】
人間の腕（脚）の関節は、捻りの動作も可能であるが、装飾義肢５０は巻装部材２０を断端部に固定する際に捻り角度を調整できるので、継手部材５２は単純な回動が可能であれば良い。
【００４０】
かかる継手部材５２を設ければ、より自然な容姿をもって遺体を納棺することが出来る。火葬時にダイオキシンを生じないことは前記実施形態と同じである。
【００４１】
図６は、膝関節部分に回動可能な継手部材６２を設けた装飾義肢６０を例示するものである。木製材で成形した義肢本体（足部３１、下腿部３２、大腿部６１）、および大腿部６１の端部に取り付けた巻装部材２０とを備える。下腿部３２、大腿部６１は内部中空に成形し、足部３１は必要に応じて内部を中空に成形する。巻装部材２０の固定、構成等は前記実施形態と同様でよい。
【００４２】
前記実施形態と同様、下腿部３２と大腿部６１は、回動可能な継手部材６２を介して結合する。継手部材６２は、例えば、木製ピンを使用する。連結用の嵌合舌片を木製ピンで回動可能に軸支してもよい。
【００４３】
回動可能な継手部材６２は、納棺時に、脚を自然な状態で納めることが出来るようにする。納棺時の美的な見栄えを向上させるものであり、通常の義肢（下肢）に要求される機能性は必要がない。結合部の回動を実現する最小限の機能があれば良いので、木製ピンを介した各種の軸支構造をとることが出来る。火葬時のダイオキシン発生を防止するため、継手部材６２のまわりの部材も木製材を使用する。
【００４４】
かかる構成によれば、切断された下肢を自然な状態で外観回復させ納棺することが出来る。下肢は見た目の容積は大きいが、内部中空に成形してあるので、火葬時には完全に燃え尽きる。またダイオキシンも発生させない。
【００４５】
本考案に係る装飾義肢は、前記実施形態のものに限定されない。装飾義肢は、必要部位に回動可能な継手を設けるが、肘関節や膝関節に限らず、手首、足首の部分に回動可能な継手を設けても良い。関節部位は、納棺時の見た目を整えることが出来る回動機能があればよい。
【００４６】
木製材を用いる下肢と上肢は、手部、足部、前腕、下腿部、上腕、大腿部といった義肢本体のパーツを、人体の大きさに基づいて予めパターン成形しておき、故人の身体特徴に応じ、必要に応じてパーツを組み合わせて使用することが望ましい。
【００４７】
巻装部材は、断端部の外周をしっかり抱持して装飾義肢の結合状態を保持できればよい。巻装部材の布地は、開いた布地であっても良いし、袋状の布地であっても良い。断端部の外周を抱持させる機能から云えば、開いた布地を用いて断端部を包み、その後、維持部材を介して布地を緊縛することが望ましい。
【符号の説明】
【００４８】
１０、３０、５０、６０  装飾義肢
１１  手部
１１−１  指部
１２  前腕部
１４  上腕部
２０  巻装部材
２５  結束リボン（維持部材）
２７  結び目
３１  足部
３１−２  指部
３２  下腿部
４０  テープ材
４１  固定材
５２、６２  継手部材
６１  大腿部
【図１】
0003184428.tif 000003
【図２】
0003184428.tif 000004
【図３】
0003184428.tif 000005
【図４】
0003184428.tif 000006
【図５】
0003184428.tif 000007
【図６】
0003184428.tif 000008